(57)【要約】【課題】子供やペットの体の水気を拭き取る行為が容易であり、子供やペットから雫が滴り落ちた場合でも床が水浸しにならず、ペットの大きさにより包み込みの態様を変えることもできるバスタオルを提供すること【解決手段】中央の載置部１と、前記載置部１の両端に設けられた包み込み部２，２から成る平面視四角形のバスタオルであり、四つ角部のうち、一方の対角に位置する部分に第１雄型ホック３，３’を、他方の対角に位置する部分に第１雌型ホック４，４’を、それぞれ取り付けてあり、更に前記第１雄型ホック３，３’から載置部１側寄りに離れた位置に第２雌型ホック５，５’を、第１雌型ホック４，４’から載置部１側寄りに離れた位置に第２雄型ホック６，６’を、それぞれ取り付けてある。【選択図】図１
0003133259.tif 000002
【実用新案登録請求の範囲】
【請求項１】
主として幼児やペットを載せ置くために形成された中央の載置部と、前記載置部の両端に設けられ且つ主として幼児やペットを包み込むために形成された包み込み部から成る平面視四角形のバスタオルであり、四つ角部のうち、一方の対角に位置する部分に第１雄型ホックを、他方の対角に位置する部分に第１雌型ホックを、それぞれ取り付けてあり、更に前記第１雄型ホックから載置部側寄りに離れた位置に第２雌型ホックを、第１雌型ホックから載置部側寄りに離れた位置に第２雄型ホックを、それぞれ取り付けてあることを特徴とするバスタオル。
【請求項２】
包み込み部−載置部−包み込み部の配列方向における、第２雄型・雌型ホックの取り付け位置は、包み込み部の中央又は略中央であることを特徴とする請求項１記載のバスタオル。
【請求項３】
第１雄型ホックと第１雌型ホックとを結ぶ線上に、第２雄型・雌型ホックを配置していることを特徴とする請求項１又は２記載のバスタオル。
【請求項４】
タオル形状の四角形は、長方形、正方形、台形であることを特徴とする請求項１乃至３のいずれかに記載のバスタオル。
【請求項５】
載置部及び両包み込み部はタオル生地により構成されていることを特徴とする請求項１乃至４のいずれかに記載のバスタオル。
【請求項６】
載置部の裏面には、止水性を有する樹脂シートを一体化してあることを特徴とする請求項１乃至５のいずれかに記載のバスタオル。
【請求項７】
タオルの角部形状は、円弧状又は直角であることを特徴とする請求項１乃至６のいずれかに記載のバスタオル。
【考案の詳細な説明】
【技術分野】
【０００１】
この考案は、乳幼児から３歳程度の子供（幼児という）の入浴後や、猫や犬（小型・中型・大型犬）などのペットのシャンプー後に、しっかりと水気を拭き取ることができる所謂バスタオルに関するものである。
【背景技術】
【０００２】
これまでのバスタオル（大型タオル）は一枚の単なる布状のものであるため、じっとしていられない幼児やペットの体の水気を拭き取るために、先ず、しっかりとタオルを掴んで持っている必要があった。
【０００３】
しかしながら、常に動いている体を抱きながら且つタオルを落とさないようにして、体の水気を拭き取る行為は容易ではなかった。
【０００４】
上記問題を解決する手段としては、例えば、特許文献１に示すポケット付きタオルがあるが、このポケット付きタオルによると、両端のポケット部にそれぞれ手を入れる態様で両手相互間にタオルを掛け渡すものであるから、体の水気を拭き取るという行為が非常にやりやすいというメリットがある。
【０００５】
しかしながら、このポケット付きタオルでは、子供やペットから滴り落ちた雫により床が水浸しになり、またペットの大きさによるそれぞれの態様を採ることができないという問題がある。
【特許文献１】特開２００３−２８４６５３
【考案の開示】
【考案が解決しようとする課題】
【０００６】
そこで、この考案では、（１）子供やペットの体の水気を拭き取る行為が容易であり、（２）子供やペットから雫が滴り落ちた場合でも床が水浸しにならず、（３）ペットの大きさにより包み込みの態様を変えることもできるバスタオルを提供することを課題とする。
【課題を解決するための手段】
【０００７】
（請求項１記載の考案）
このバスタオルは、主として幼児やペットを載せ置くために形成された中央の載置部と、前記載置部の両端に設けられ且つ主として幼児やペットを包み込むために形成された包み込み部から成る平面視四角形のバスタオルであり、四つ角部のうち、一方の対角に位置する部分に第１雄型ホックを、他方の対角に位置する部分に第１雌型ホックを、それぞれ取り付けてあり、更に前記第１雄型ホックから載置部側寄りに離れた位置に第２雌型ホックを、第１雌型ホックから載置部側寄りに離れた位置に第２雄型ホックを、それぞれ取り付けてある。
（請求項２記載の考案）
この考案は、上記請求項１記載の考案に関し、包み込み部−載置部−包み込み部の配列方向における、第２雄型・雌型ホックの取り付け位置は、包み込み部の中央又は略中央である。
（請求項３記載の考案）
この考案は、上記請求項１又は２記載の考案に関し、第１雄型ホックと第１雌型ホックとを結ぶ線上に、第２雄型・雌型ホックを配置していることを特徴とする請求項１又は２記載のバスタオル。
（請求項４記載の考案）
この考案は、上記請求項１乃至３のいずれかに記載の考案に関し、タオル形状の四角形は、長方形、正方形、台形である。
（請求項５記載の考案）
この考案は、上記請求項１乃至４のいずれかに記載の考案に関し、載置部及び両包み込み部はタオル生地により構成されている。
（請求項６記載の考案）
この考案は、上記請求項１乃至５のいずれかに記載の考案に関し、載置部の裏面には、止水性を有する樹脂シートを一体化してある。
（請求項７記載の考案）
この考案は、上記請求項１乃至６のいずれかに記載の考案に関し、タオルの角部形状は、円弧状又は直角である。
【考案の効果】
【０００８】
この考案のバスタオルによると、（１）子供やペットの体の水気を拭き取る行為が容易であり、（２）子供やペットから雫が滴り落ちた場合でも床が水浸しにならず、（３）ペットの大小により包み込みの態様を変えることもできる。
【考案を実施するための最良の形態】
【０００９】
以下に、この考案のバスタオルを実施するための最良の形態として実施例について詳しく説明する。
【実施例１】
【００１０】
図１はこの考案の実施例１におけるバスタオルＢＴの使用面側から見た平面図、図２は図１の反対面側から見たバスタオルＢＴの平面図を示している。
（このバスタオルＢＴの基本的構成について）
このバスタオルＢＴは、図１や図２に示すように、中央の載置部１と、前記載置部１の両端に設けられる包み込み部２，２から成る平面視略四角形に構成されており、四つ角部のうち、一方の対角に位置する部分に第１雄型ホック３，３’を、他方の対角に位置する部分に第１雌型ホック４，４’を、それぞれ取り付けてあり、更に前記第１雄型ホック３，３’から載置部１側寄りに離れた位置に第２雌型ホック５，５’を、第１雌型ホック４，４’から載置部１側寄りに離れた位置に第２雄型ホック６，６’を、それぞれ取り付けてある。
【００１１】
ここで、図１や図２に示すように、包み込み部２−載置部１−包み込み部２の配列方向における、第２雄型・雌型ホック６，６’，５，５’の取り付け位置は、包み込み部２の略中央である。また、図１や図２に示すように、第１雄型ホック３と第１雌型ホック４とを結ぶ線上に、第２雄型・雌型ホック６，５を配置しており、また、第１雄型ホック３’と第１雌型ホック４’とを結ぶ線上に、第２雄型・雌型ホック６’，５’を配置している。更に、図上記１や図２に示すように、載置部１の裏面には、止水性を有する樹脂シート７を一体化してある。
（子犬ｄに対するこのバスタオルＢＴの使用態様について）
(ａ)シャワーが終わった子犬ｄを載置部１の上に前向き（載置部１の長手方向と子犬ｄの胴長方向にあわせる態様）で載せ置く。
【００１２】
この状態では、子犬ｄは載置部１からはみ出ていないので、子犬ｄから雫が滴り落ちた場合でも樹脂シート７が水を受けることとなり床は水浸しにならない。
(ｂ)子犬ｄの喉部付近で第２雌型ホック５と第２雄型ホック６とを止着状態にする。また、子犬ｄの後ろ首筋付近で第１雄型ホック３と第４雌型ホック４とを止着状態にする。
【００１３】
この状態では、図３や図４に示すように、子犬ｄの背中の前半分はバスタオルＢＴで覆われ、頭はバスタオルＢＴの開口から突出した状態となっている。
(ｃ)第１雄型ホック３’と第２雌型ホック５’を、第２雄型ホック６’と第１雌型ホック４’を、それぞれ止着状態にする。これにより手Ｈ，Ｈを入れるための簡易ポケットＰ，Ｐができる。
(ｄ) 簡易ポケットＰ，Ｐに手Ｈ，Ｈを入れ、頭部、子犬の後ろ胴部及び後ろ足等の水滴を拭き取る。前胴部及び前足の水滴については子犬ｄを覆っている包み込み部２，２により拭き取ればよい。
(ｅ)子犬ｄからバスタオルＢＴを外す場合には、第２雌型ホック５と第２雄型ホック６とを、第１雄型ホック３と第４雌型ホック４とを、それぞれ非止着状態にすればよく、簡単である。
(ｆ)このバスタオルＢＴによると、子犬ｄは頭が飛び出しているので嫌がることは少ない。また、子犬ＢＴからバスタオルが不用意にずり落ちることないと共にタオルを手で掴むことなく使用できるので、子犬ｄから水気を拭き取る行為が容易である。更に、子犬ｄから雫が滴り落ちた場合でも床が水浸しにならないことが明らかである。
【００１４】
なお、猫その他比較的小さな四足動物においても、同様に使用できる。
（中・大型犬Ｄに対するこのバスタオルＢＴの使用態様について）
(ａ)シャワーが終わった中・大型犬Ｄを載置部１の上に、載置部１の長手直角方向と中・大型犬Ｄの胴長方向にあわせる態様で載せ置く。
【００１５】
この状態では、中・大型犬Ｄは載置部１から多くはみ出ていないので、子犬ｄから雫が滴り落ちた場合でも樹脂シート７が水を受けることとなり床は水浸しにならない。
(ｂ) 中・大型犬Ｄの首部にバスタオルＢＴを巻き付ける態様で第１雄型ホック３と第１雌型ホック４’とを止着状態にする。
【００１６】
この状態では、図５や図６に示すように、中・大型犬Ｄの背中の前１／３程度はバスタオルＢＴで覆われ、頭はバスタオルＢＴの開口から突出した状態となっている。
(ｃ)第１雌型ホック４と第２雄型ホック６を、第１雄型ホック３’と第１雌型ホック５’を、それぞれ止着状態にする。これにより手Ｈ，Ｈを入れるための簡易ポケットＰ，Ｐができる。
(ｄ) 簡易ポケットＰ，Ｐに手Ｈ，Ｈを入れ、頭部、子犬の後ろ胴部及び後ろ足等の水滴を拭き取る。前側の胴部及び前足の水滴については中・大型犬Ｄを覆っている包み込み部２により拭き取ればよい。
(ｅ) 中・大型犬ＤからバスタオルＢＴを外す場合には、第１雄型ホック３と第１雌型ホック４’とを非止着状態にすればよく、簡単である。
(ｆ)このバスタオルＢＴによると、中・大型犬Ｄは頭が飛び出しているので嫌がることは少ない。また、中・大型犬ＤからバスタオルＢＴが不用意にずり落ちることないと共にタオルを手で掴むことなく使用できるので、中・大型犬Ｄから水気を拭き取る行為が容易である。更に、中・大型犬Ｄから雫が滴り落ちた場合でも床が水浸しにならないことが明らかである。
（幼児Ｍに対するこのバスタオルＢＴの使用態様について）
(ａ)入浴を終わった幼児Ｍを載置部１の上に載せ置く。
【００１７】
この状態では、幼児Ｍは載置部１からはみ出ていないので、幼児Ｍから雫が滴り落ちた場合でも樹脂シート７が水を受けることとなり床は水浸しにならない。
(ｂ) 図７に示すように、幼児Ｍを覆い包むように、第１雄型ホック３’と第１雌型ホック４’を、第１雄型ホック３と第１雌型ホック４を、第２雌型ホック５’と第２雄型ホック６’を、第２雌型ホック５と第２雄型ホック６を、それぞれ止着する。そして、第１雄型ホック３’・雌型ホック４’との止着部を右手の拇指と人差し指をとの間に引っかけ、第１雄型ホック３・雌型ホック４との止着部を左手の拇指と人差し指をとの間に引っかけることにより、簡単に幼児Ｍに付いた水分を拭き取ることができる。
(ｃ)このバスタオルＢＴによると、幼児Ｍは顔が突出しているので嫌がることは少ない。また、幼児ＭからバスタオルＢＴがタオルを手で掴むことなく使用できるので、幼児Ｍから水気を拭き取る行為が容易である。更に、幼児Ｍから雫が滴り落ちた場合でも床が水浸しにならないことが明らかである。
（その他）
上記実施例のバスタオルＢＴでは、載置部１の裏面に止水性を有する樹脂シート７を一体化してあるが、これに限定されるものではない。例えば、載置部１を厚手のタオル生地で構成してもよい。
【００１８】
上記実施例のバスタオルＢＴでは、長方形状としてあるが、これに限定されることなく、正方形、台形でもよい。バスタオルＢＴの角部形状は、円弧状又は直角であるものとすることができる。
【図面の簡単な説明】
【００１９】
【図１】この考案の実施例におけるバスタオルの使用面側から見た平面図。
【図２】図１のバスタオルを反対面側から見た平面図。
【図３】子犬に対するバスタオルの使用態様であって、前方向から見た斜視図。
【図４】子犬に対するバスタオルの使用態様であって、後ろ方向から見た斜視図。
【図５】中・大型犬に対するバスタオルの使用態様であって、前方向から見た斜視図。
【図６】中・大型犬に対するバスタオルの使用態様であって、後ろ方向から見た斜視図。
【図７】幼児に対するバスタオルの使用態様を示した正面図。
【符号の説明】
【００２０】
ＢＴ      バスタオル    
１        載置部
２        包み込み部
３        第１雄型ホック
３’      第１雄型ホック
４        第１雌型ホック
４’      第１雌型ホック
５        第２雌型ホック
５’      第２雌型ホック
６        第２雄型ホック
６’      第２雄型ホック
７        樹脂シート
【図１】
0003133259.tif 000003
【図２】
0003133259.tif 000004
【図３】
0003133259.tif 000005
【図４】
0003133259.tif 000006
【図５】
0003133259.tif 000007
【図６】
0003133259.tif 000008
【図７】
0003133259.tif 000009